(57)【要約】【構成】ハードディスク３４に記録された所望コンテンツは、操作パネル６２の操作によって通常再生または高速再生を施される。同じシーンが複数回にわたって通常再生されると、このシーンが特定され、特定されたシーンと所望コンテンツの番組情報を含むバックアップファイルが作成される。作成されたバックアップファイルは、ＤＶＤ３８に保存される。【効果】再生頻度が多いシーンをバックアップする手間を省くことができる。【選択図】  図１
2004235792.tif 000002
【特許請求の範囲】
【請求項１】
第１記録媒体に記録されたコンテンツから複数回にわたって再生されたシーンを特定する特定手段、および
前記特定手段によって特定されたシーンを第２記録媒体に記録する記録手段を備える、コンテンツ処理装置。
【請求項２】
第１閾値を上回る時間長のシーンを前記特定手段によって特定される候補から排除する排除手段をさらに備える、請求項１記載のコンテンツ処理装置。
【請求項３】
前記特定手段によって特定されたかつ互いに隣り合う２つのシーンの間隔を判別する判別手段、および
前記判別手段の判別結果に応じて前記２つのシーンを互いに結合する結合手段をさらに備える、請求項１または２記載のコンテンツ処理装置。
【請求項４】
前記結合手段は前記間隔が第２閾値を下回る２つのシーンを結合する、請求項３記載のコンテンツ処理装置。
【請求項５】
前記記録手段によって記録されるシーンに前記コンテンツのガイド情報を割り当てる割り当て手段をさらに備える、請求項１ないし３のいずれかに記載のコンテンツ処理装置。
【請求項６】
前記第１記録媒体は内蔵型の記録媒体であり、
前記第２記録媒体は着脱自在の記録媒体である、請求項１ないし５のいずれかに記載のコンテンツ処理装置。
【発明の詳細な説明】
【０００１】
【発明の属する技術分野】
この発明は、コンテンツ処理装置に関し、第１記録媒体に記録された複数のコンテンツの一部を第２記録媒体に記録する、コンテンツ処理装置に関する。
【０００２】
【従来技術】
従来のこの種のコンテンツ処理装置の一例が、特許文献１に開示されている。この従来技術では、ハードディスクおよび光ディスクが用意され、ハードディスクに記録された情報は、コピー／移動キーの操作に応答して光ディスクにコピーされる。これによって、重要なコンテンツを光ディスクによってバックアップすることができる。
【０００３】
【特許文献１】
特開２００２−１０９８７０号公報（第１５頁）
【０００４】
【発明が解決しようとする課題】
しかし、従来技術では、重要なコンテンツをバックアップするには、オペレータによる手動操作は必要であり、バックアップに手間がかかるという問題があった。
【０００５】
それゆえに、この発明の主たる目的は、バックアップ作業の手間を軽減することができる、コンテンツ処理装置を提供することである。
【０００６】
【課題を解決するための手段】
この発明に従うコンテンツ処理装置は、第１記録媒体に記録されたコンテンツから複数回にわたって再生されたシーンを特定する特定手段、および特定手段によって特定されたシーンを第２記録媒体に記録する記録手段を備える。
【０００７】
【作用】
特定手段は、第１記録媒体に記録されたコンテンツから複数回にわたって再生されたシーンを特定する。特定手段によって特定されたシーンは、記録手段によって第２記録媒体に記録される。
【０００８】
好ましくは、第１閾値を上回る時間長のシーンが、特定手段によって特定される候補から排除される。これによって、１シーンとしては長すぎるシーンがバックアップされることはなく、操作性が向上する。
【０００９】
好ましくは、特定手段によって特定されたシーンのうち互いに隣り合う２つのシーンの間隔が判別手段によって判別される。結合手段は、判別手段の判別結果に応じて２つのシーンを互いに結合する。さらに好ましくは、結合手段は間隔が第２閾値を下回る２つのシーンを結合する。これによって、互いに関連するシーンの連続性が確保され、バックアップファイルを快適に視聴することができる。
【００１０】
好ましくは、記録手段によって記録されるシーンに、コンテンツのガイド情報が割り当て手段によって割り当てられる。これによって、バックアップファイルの内容を容易に把握することができる。
【００１１】
【発明の効果】
この発明によれば、複数回にわたって再生されたシーンを第２記録媒体に記録するようにしたため、バックアップの手間を軽減することができる。
【００１２】
この発明の上述の目的，その他の目的，特徴および利点は、図面を参照して行う以下の実施例の詳細な説明から一層明らかとなろう。
【００１３】
【実施例】
図１を参照して、この実施例のハードディスクビデオレコーダ１０は、アナログ受信機１２を含む。アナログ受信機１２は、アンテナ（図示せず）から高周波テレビジョン信号を受け、所望のチャネルのコンポジットビデオ信号およびオーディオ信号を出力する。コンポジットビデオ信号はＮＴＳＣデコーダ１４に与えられ、オーディオ信号はＡ／Ｄ変換器１６に与えられる。
【００１４】
ＮＴＳＣデコーダ１４は、与えられたコンポジットビデオ信号をデコードしてビデオデータを生成し、生成したビデオデータをＭＰＥＧ処理用ＬＳＩ１８に設けられたＭＰＥＧビデオエンコーダ２０に与える。一方、Ａ／Ｄ変換器１６は、与えられたオーディオ信号にＡ／Ｄ変換を施し、オーディオデータをＭＰＥＧオーディオエンコーダ２４に与える。ビデオデータは、ＭＰＥＧビデオエンコーダ２０の符号化処理によってビデオＥＳに変換され、変換されたビデオＥＳは、パケット化回路２２のパケット化処理によってビデオＰＥＳに変換される。オーディオデータは、ＭＰＥＧオーディオエンコーダ２４の符号化によってオーディオＥＳに変換され、オーディオＥＳはパケット化回路２６のパケット化によってオーディオＰＥＳに変換される。
【００１５】
マルチプレクサ２８は、パケット化回路２２および２６から出力されたビデオＰＥＳおよびオーディオＰＥＳを多重してＭＰＥＧ−ＴＳを生成し、生成したＭＰＥＧ−ＴＳをＭＰＥＧバッファ３０を介してＨＤＤ３２およびＤＶＤドライブ３６に与える。記録先としてハードディスク３４が選択されているときは、ＨＤＤ３２が起動する。ＭＰＥＧ−ＴＳは、ＨＤＤ３２によってＭＰＥＧファイル形式でハードディスク３４に記録される。一方、記録先としてＤＶＤ３８が選択されているときは、ＤＶＤドライブ３６が起動する。ＭＰＥＧ−ＴＳは、ＤＶＤドライブ３６によってＭＰＥＧファイル形式でＤＶＤ３８に記録される。こうして、所望の番組の映像と音声とがハードディスク３４に記録される。
【００１６】
なお、ハードディスク３４は内蔵型の記録媒体であり、ＤＶＤ３８は着脱自在の記録媒体である。また、１つのＭＰＥＧファイルに格納されたＭＰＥＧ−ＴＳを“コンテンツ”と定義してもよい。
【００１７】
ハードディスク３４またはＤＶＤ３８に記録されたＭＰＥＧファイルから所望のＭＰＥＧ−ＴＳが再生されると、このＭＰＥＧ−ＴＳはＭＰＥＧバッファ４０を介してデマルチプレクサ４２に与えられる。デマルチプレクサ４２は、与えられたＭＰＥＧ−ＴＳからビデオＰＥＳパケットおよびオーディオＰＥＳパケットを抽出し、ビデオＰＥＳパケットを非パケット化回路４４に、オーディオＰＥＳパケットを非パケット化回路４８にそれぞれ与える。非パケット化回路４４および４８はそれぞれ、ビデオＰＥＳおよびオーディオＰＥＳをビデオＥＳおよびオーディオＥＳに変換し、変換したビデオＥＳおよびオーディオＥＳをＭＰＥＧビデオデコーダ４６およびＭＰＥＧオーディオデコーダ５０に与える。
【００１８】
ＭＰＥＧビデオデコーダ４６は、与えられたビデオＥＳをデコードしてビデオデータを生成し、生成したビデオデータをＮＴＳＣエンコーダ５２に与える。ビデオデータは、ＮＴＳＣエンコーダ５２によってコンポジットビデオ信号に変換され、変換されたコンポジットビデオ信号はテレビジョン受像機５６に出力される。この結果、所望の番組の再生映像が、テレビジョン受像機５６のモニタ画面に表示される。
【００１９】
ＭＰＥＧオーディオエンコーダ５０は、与えられたオーディオＥＳをデコードしてオーディオデータを生成する。生成されたオーディオデータはＤ／Ａ変換器５４によってアナログオーディオ信号に変換され、変換されたオーディオ信号はテレビジョン受像機５６に出力される。この結果、所望の番組の再生音声が、テレビジョン受像機５６のスピーカから出力される。
【００２０】
ＣＰＵ５８からＭＰＥＧビデオデコーダ４０にＯＳＤ表示命令が与えられると、ＭＰＥＧビデオデコーダ４６は、所望のキャラクタデータをビデオデータに多重する。これによって、テキストメッセージなどのキャラクタデータがテレビジョン受像機５６のモニタ画面にＯＳＤ態様で表示される。
【００２１】
ＨＤＤ３２はファイル管理方式としてＦＡＴ方式を採用し、ＤＶＤドライブ３６はファイル管理方式としてＵＤＦ方式を採用する。ハードディスク３４およびＤＶＤ３８の各々は、データ領域とファイル管理領域とに分割される。ＭＰＥＧファイルは、データ領域を形成する複数の小エリアに離散的に記録される。ファイル管理領域には、ＭＰＥＧファイルのファイル名とこのＭＰＥＧファイルを形成する部分データが格納された小エリアのアドレス情報とが書き込まれる。
【００２２】
ＭＰＥＧ−ＴＳは、図２に示すようなデータ構造を有する。図２によれば、ＭＰＥＧ−ＴＳは複数のＴＳパケットによって形成され、各々のＴＳパケットにはヘッダ，ビデオＰＥＳパケットまたはオーディオＰＥＳパケット，ＰＳＩ（Ｐｒｏｇｒａｍ  Ｓｐｅｃｉｆｉｃ  Ｉｎｆｏｒｍａｔｉｏｎ）およびＳＩ（Ｓｅｒｖｉｃｅ  Ｉｎｆｏｒｍａｔｉｏｎ：番組配列情報）が含まれる。オーディオＰＥＳパケットは再生映像と再生音声との間で同期が取られるようにビデオＰＥＳパケットの間に挿入される。ＰＳＩには、映像を再生するために必要な情報を格納するためのＰＡＴ，ＣＡＴ，ＰＭＴ，ＮＩＴなどのテーブルが設けられる。ＳＩには、番組情報（文字放送から取得）などの付加情報を格納するためのＢＩＴ，ＥＩＴ，ＳＤＴ，ＴＯＴなどのテーブルが設けられる。
【００２３】
ハードディスク３４の記録されたコンテンツについては、再生頻度が多いシーンにバックアップが施される。たとえば、コンテンツＡについて図５に示すようにＡ１→Ａ２→Ａ３→Ａ４→Ａ５→Ａ６の順で各々のシーンを通常再生し、コンテンツＢについて図６に示すようにＢ１→Ｂ２→Ｂ３→Ｂ４→Ｂ５の順で各々のシーンを通常再生した場合を想定する。このとき、フラッシュメモリ６０に形成されたシーン情報テーブル６０ｔには図３に示す要領で各シーンの先頭時刻および末尾時刻が登録される。
【００２４】
図５によれば、シーンＡ１は、先頭時刻ｔｆａ１から始まり、末尾時刻ｔｅａ１に終了する。シーンＡ２は、先頭時刻ｔｆａ２から始まり、末尾時刻ｔｅａ２に終了する。シーンＡ３は、先頭時刻ｔｆａ３から始まり、末尾時刻ｔｅａ３に終了する。シーンＡ４は、先頭時刻ｔｆａ４から始まり、末尾時刻ｔｅａ４に終了する。シーンＡ５は、先頭時刻ｔｆａ５から始まり、末尾時刻ｔｅａ５に終了する。シーンＡ６は、先頭時刻ｔｆａ６から始まり、末尾時刻ｔｅａ６に終了する。
【００２５】
このため、図３に示すシーン情報テーブル６０ｔのコンテンツＡに対応するシーン情報欄では、先頭時刻ｔｆａ１および末尾時刻ｔｅａ１がインデックス番号１に割り当てられ、先頭時刻ｔｆａ２および末尾時刻ｔｅａ２がインデックス番号２に割り当てられる。また、先頭時刻ｔｆａ３および末尾時刻ｔｅａ３がインデックス番号３に割り当てられ、先頭時刻ｔｆａ４および末尾時刻ｔｅａ４がインデックス番号４に割り当てられる。さらに、先頭時刻ｔｆａ５および末尾時刻ｔｅａ５がインデックス番号５に割り当てられ、先頭時刻ｔｆａ６および末尾時刻ｔｅａ６がインデックス番号６に割り当てられる。
【００２６】
また、図６によれば、シーンＢ１は、先頭時刻ｔｆｂ１から始まり、末尾時刻ｔｅｂ１に終了する。シーンＢ２は、先頭時刻ｔｆｂ２から始まり、末尾時刻ｔｅｂ２に終了する。シーンＢ３は、先頭時刻ｔｆｂ３から始まり、末尾時刻ｔｅｂ３に終了する。シーンＢ４は、先頭時刻ｔｆｂ４から始まり、末尾時刻ｔｅｂ４に終了する。シーンＢ５は、先頭時刻ｔｆｂ５から始まり、末尾時刻ｔｅｂ５に終了する。
【００２７】
このため、図３に示すシーン情報テーブル６０ｔのコンテンツＢに対応するシーン情報欄においては、先頭時刻ｔｆｂ１および末尾時刻ｔｅｂ１がインデックス番号１に割り当てられ、先頭時刻ｔｆｂ２および末尾時刻ｔｅｂ２がインデックス番号２に割り当てられる。また、先頭時刻ｔｆｂ３および末尾時刻ｔｅｂ３がインデックス番号３に割り当てられ、先頭時刻ｔｆｂ４および末尾時刻ｔｅｂ４がインデックス番号４に割り当てられ、先頭時刻ｔｆｂ５および末尾時刻ｔｅｂ５がインデックス番号５に割り当てられる。
【００２８】
バックアップ時間帯を決定するにあたっては、次の条件１〜条件４が満たされるかどうかが判別される。具体的には、条件１を満たさないシーンが排除され、排除されなかったシーンのうち条件２〜条件４の少なくとも１つを満たすシーンについて、バックアップ時間帯が求められる。なお、条件１は、１シーンとして長すぎるシーンをバックアップ処理の対象から排除するための条件であり、条件２〜条件４は、注目するシーンと関連するシーンを特定するための条件である。
【００２９】
【条件１】
注目するシーンの先頭時刻および末尾時刻の差分が１０分以下であること
【００３０】
【条件２】
注目するシーンと他のシーンとの間で先頭時刻の差分が１分以内であること
【００３１】
【条件３】
注目するシーンと他のシーンとの間で末尾時刻の差分が１分以内であること
【００３２】
【条件４】
注目するシーンが他のシーンを含むこと
図５を参照して、シーンＡ１〜Ａ６の長さはいずれも１０分未満であるため、シーンＡ１〜Ａ６のいずれも条件１を満たす。条件２〜条件４に照らすと、シーンＡ１およびＡ４が互いに関連するシーンとされ、かつシーンＡ２，Ａ３，Ａ５およびＡ６が互いに関連するシーンとされる。この結果、シーンＡ１およびＡ４を含む時間帯（先頭時刻：ＴＦＡ１，末尾時刻：ＴＥＡ１）が１つのバックアップ時間帯として決定され、シーンＡ２，Ａ３，Ａ５およびＡ６を含む時間帯（先頭時刻：ＴＦＡ２，末尾時刻：ＴＥＡ２）が他のバックアップ時間帯として決定される。
【００３３】
図６を参照して、シーンＢ１〜Ｂ５の各々の長さもまた１０分未満であり、シーンＢ１〜Ｂ５のいずれも条件１を満たす。条件２〜条件４に照らすと、シーンＢ１，Ｂ４およびＢ５が互いに関連するシーンとされ、かつシーンＢ２およびＢ３が互いに関連するシーンとされる。この結果、シーンＢ１，Ｂ４およびＢ５を含む時間帯（先頭時刻：ＴＦＢ１，末尾時刻：ＴＥＢ１）が１つのバックアップ時間帯として決定され、シーンＢ２およびＢ３を含む時間帯（先頭時刻：ＴＦＢ２，末尾時刻：ＴＥＢ２）が他のバックアップ時間帯として決定される。
【００３４】
バックアップ時間帯が決定されると、次の条件４が満たされるかどうかが判別される。条件５は、互いに近接する２つのバックアップ時間帯を結合するための条件である。
【００３５】
【条件５】
注目する２つのバックアップ時間帯の間隔が２分以内であること
図５に示す２つのバックアップ時間帯の間隔は５分であるため、条件５は満たされない。このため、このバックアップ時間帯が互いに結合されることはない。これに対して、図６に示す２つのバックアップ時間帯の間隔は２分であり、条件５は満たされる。このため、この２つのバックアップ時間帯は互いに結合される。したがって、図６に示すバックアップ時間帯テーブル６０ｂに形成されたコンテンツＡのバックアップ時間帯欄には、バックアップ時間帯情報ＴＦＡ１−ＴＥＡ１およびＴＦＡ２−ＴＥＡ２が登録される。また、同じバックアップ時間帯テーブル６０ｂに形成されたコンテンツＢのバックアップ時間帯欄には、バックアップ時間帯情報ＴＦＢ１−ＴＥＢ２が登録される。
【００３６】
こうして、バックアップ時間帯が確定すると、各々のバックアップ時間帯で再生されるシーンのＭＰＥＧ−ＴＳが、コンテンツ毎に作成されたバックアップファイルに格納される。バックアップファイルには、対応する番組情報（ＳＩから検出）も格納される。つまり、コンテンツＡについては、バックアップ時間帯ＴＦＡ１−ＴＥＡ１およびＴＦＡ２−ＴＥＡ２のシーンとコンテンツＡの番組情報とを含むバックアップファイルが作成される。また、コンテンツＢについては、バックアップ時間帯ＴＦＢ１−ＴＥＢ２のシーンとコンテンツＢの番組情報とを含むバックアップファイルが作成される。作成されたこれらのバックアップファイルは、ＤＶＤドライブ３６によってＤＶＤ３８に記録される。
【００３７】
操作パネル６２の操作によってハードディスク３４から所望コンテンツが選択されかつ再生が指示されたとき、ＣＰＵ５８は、図７〜図１０に示すフロー図に従う処理を実行する。なお、このフロー図に対応する制御プログラムは、フラッシュメモリ６０に記憶される。
【００３８】
まず図７のステップＳ１で、フラッシュメモリ６０に設けられたシーン情報テーブル６０ｔに所望コンテンツのシーン情報欄が既に作成されているかどうか判断する。ここでシーン情報欄が作成済みであればステップＳ３に進み、作成済みのシーン情報欄において最新のシーン情報が割り当てられているインデックス番号をカウンタ６０ｋに設定する。これに対して、シーン情報欄が未だ作成されていなければステップＳ５に進み、所望コンテンツのシーン情報欄を作成するとともにカウンタ６０ｋに“０”を設定する。ステップＳ３が実行されたときカウンタ６０ｋのカウント値Ｋは最大値を示し、ステップＳ５が実行されたときカウンタ６０ｋのカウント値Ｋは“０”を示す。
【００３９】
ステップＳ７では操作パネル６２によって通常再生操作が行われたかどうかを判断し、ステップＳ９では操作パネル６２によってバックアップ操作が行われたかどうか判断し、そしてステップＳ１３ではバックアップ確認操作が行われたかどうか判断する。
【００４０】
通常再生操作が行われたときは、図８に示すステップＳ１９〜Ｓ３７の処理を実行する。バックアップ操作が行われたときは、ステップＳ１１でカウント値Ｋが“１”以上であるかどうか判断する。ここでＮＯであればステップＳ７に戻るが、ＹＥＳであれば図９〜図１０に示すステップＳ３９〜Ｓ７３の処理を実行する。バックアップ確認操作が行われたときはステップＳ１５に進み、フラッシュメモリ６０に設けられたバックアップ時間帯テーブル６０ｂに所望コンテンツのバックアップ時間帯情報が登録されているかどうかを判断する。そして、ＮＯと判断されたときはそのままステップＳ７に戻るが、ＹＥＳと判断されたときはステップＳ１７でこのバックアップ時間帯情報を示すキャラクタデータの出力をＭＰＥＧビデオデコーダ４６に命令し、その後ステップＳ７に戻る。
【００４１】
図８を参照して、ステップＳ１９ではカウンタ６０ｋをインクリメントし、続くステップＳ２１では現在時刻を所望コンテンツのシーン情報欄に先頭時刻として登録する。このとき、先頭時刻は現時点のカウント値Ｋに対応するインデックス番号に割り当てられる。ステップＳ２３では通常再生処理を実行する。これによって、所望コンテンツの映像および音声がテレビジョン受像機５６から出力される。
【００４２】
ステップＳ２５では操作パネル６２によって高速再生操作が行われたかどうか判断し、ステップＳ２７では操作パネル６２によって停止操作が行われたかどうか判断する。高速再生操作が行われたときは、ステップＳ２５からステップＳ２９に進み、現在時刻を所望コンテンツのシーン情報欄に末尾時刻として登録する。末尾時刻は現時点のカウント値Ｋに対応するインデックス番号に割り当てられる。ステップＳ３１では、高速再生処理を実行する。これによって、テレビジョン受像機５６から再生される映像の動きが速くなる。ステップＳ３３では操作パネル６２によって停止操作が行われたかどうか判断し、ＹＥＳと判断されるとステップＳ１９に戻る。
【００４３】
一方、停止操作が行われたときは、ステップＳ２７からステップＳ３５に進み、現在時刻を所望コンテンツのシーン情報欄に末尾時刻として登録する。末尾時刻は、現時点のカウント値Ｋに対応するインデックス番号に割り当てられる。ステップＳ３５の処理が完了すると、ステップＳ３７における停止処理を経てステップＳ７に戻る。
【００４４】
図９を参照して、ステップＳ３９ではカウンタ６０ｋに“１”を設定する。続くステップＳ４１ではカウント値Ｋに対応するインデックス番号に割り当てられたシーン情報（先頭時刻および末尾時刻）を検出し、このシーン情報が上述の条件１を満たすかどうか判断する。
【００４５】
条件１が満たれればステップＳ４５に進むが、条件１が満たされなければステップＳ４３でカウンタ６０ｋをインクリメントしてからステップＳ４１に戻る。これによって、“シーン”とは呼べないほど長時間にわたって再生された部分が、バックアップ処理の候補から除外される。
【００４６】
ステップＳ４５では、カウント値Ｋに対応するインデックス番号に割り当てられたシーン情報（先頭時刻および末尾時刻）を、他のシーン情報（先頭時刻および末尾時刻）と比較する。ステップＳ４７では、比較される２つのシーン情報の間で上述の条件２，条件３または条件４が満たされるかどうか判断する。
【００４７】
条件２〜条件４の少なくとも１つが満たされるときは、ステップＳ４７でＹＥＳと判断し、ステップＳ４９でバックアップ時間帯を決定する。具体的には、注目する２つの先頭時刻のうち早い方の時刻よりも１分早い時刻をバックアップ時間帯の先頭時刻とし、注目する２つの末尾時刻のうち遅い方の時刻よりも１分遅い時刻をバックアップ時間帯の末尾時刻とする。ステップＳ５１では、比較対象となった他のシーン情報をシーン情報欄から削除し、削除が完了すると、ステップＳ５３に進む。一方、条件２〜条件４のいずれも満たされないときは、ステップＳ４７でＮＯと判断し、そのままステップＳ５３に進む。
【００４８】
ステップＳ５３では、カウント値Ｋに対応するインデックス番号に割り当てられたシーン情報と他の全てのシーン情報との比較が完了したかどうか判断する。ここでＮＯと判断されたときはステップＳ４１に戻るが、ＹＥＳと判断されたときはステップＳ５５でカウント値Ｋを最大値（最新のシーン情報が割り当てられたインデックス番号）と比較する。そして、両者が一致しなければステップＳ５７でカウンタ６０ｋをインクリメントしてステップＳ４１に戻るが、両者が一致すればステップＳ５９に進む。
【００４９】
ステップＳ５９では、決定されたバックアップ時間帯が存在するかどうか判断する。ここでＮＯであればそのままステップＳ７に戻るが、ＹＥＳであればステップＳ６１〜Ｓ７３の処理を経てステップＳ７に戻る。
【００５０】
ステップＳ６１では、決定されたバックアップ時間帯が複数存在するかどうか判断する。ここでＮＯと判断されるとステップＳ６９に進むが、ＹＥＳであればステップＳ６３に進む。ステップＳ６３では互いに隣接する２つのバックアップ時間帯の間隔を算出し、ステップＳ６５では互いに隣り合う２つのバックアップ時間帯の中から条件４が満たされる２つのバックアップ時間帯を特定し、そしてステップＳ６５では特定した２つのバックアップ時間帯を互いに結合する。結合処理によって、２つのバックアップ時間帯のうち早い方のバックアップ時間帯の先頭時刻と２つのバックアップ時間帯のうち遅い方のバックアップ時間帯の末尾時刻とが有効化される。なお、結合処理の実行によって、結合される前の２つのバックアップ時間帯は無効とされる。
【００５１】
ステップＳ６９では、有効なバックアップ時間帯をバックアップ時間帯テーブル６０ｂの所望コンテンツの欄に登録する。ステップＳ７１では、登録されたバックアップ時間帯で再生されるシーン（バックアップシーン）と所望コンテンツの番組情報とを含むバックアップファイルを作成する。具体的には、ハードディスク３４に記録された所望のＭＰＥＧファイルからバックアップシーンのＭＰＥＧ−ＴＳと番組情報とを抽出し、抽出したＭＰＥＧ−ＴＳと番組情報とをバックアップファイルに格納する。ステップＳ７３では、作成されたバックアップファイルをＤＶＤドライブ３６によってＤＶＤ３８に記録する。記録が完了すると、ステップＳ７に戻る。
【００５２】
この実施例によれば、ハードディスク３４に記録された所望コンテンツから複数回にわたって再生されたシーンを特定し、特定したシーンを含むバックアップファイルをＤＶＤ３８に記録するようにしたため、再生頻度が多いシーンをバックアップする手間を省くことができる。
【００５３】
なお、この実施例では、バックアップファイルをＤＶＤに記録するようにしているが、ハードディスクをノーマルエリアとバックアップエリアとに分割し、バックアップファイルをバックアップエリアに記録するようにしてもよい。この場合、ノーマルエリアが第１記録媒体となり、バックアップエリアが第２記録媒体となる。
【００５４】
また、この実施例では、高速再生されたシーンについては時刻情報を作成しないが、このようなシーンについても時刻情報を作成してもよい。ただし、バックアップ時間帯を決定する際には、通常再生されたシーンと高速再生されたシーンとで異なる重み付けを施すべきである。つまり、通常再生されたシーンの重み付けを“１．０”とし、高速再生されたシーンの重み付けを“０．５”とするような重み付けが必要である。
【００５５】
さらに、この実施例では、アナログ受信機によって受信されるアナログ放送を想定して説明しているが、この発明はディジタル放送にも適用できることは言うまでもない。
【図面の簡単な説明】
【図１】この発明の一実施例を示すブロック図である。
【図２】ＭＰＥＧ−ＴＳのデータ構造の一例を示す図解図である。
【図３】シーン情報テーブルの一例を示す図解図である。
【図４】バックアップ時間帯テーブルの一例を示す図解図である。
【図５】図１実施例の動作の一例を示す図解図である。
【図６】図１実施例の動作の他の一例を示す図解図である。
【図７】図１実施例の動作の一部を示すフロー図である。
【図８】図１実施例の動作の他の一部を示すフロー図である。
【図９】図１実施例の動作のその他の一部を示すフロー図である。
【図１０】図１実施例の動作のさらにその他の一部を示すフロー図である。
【符号の説明】
１０…ハードディスクビデオレコーダ
１２…ディジタル放送受信機
２０…ＭＰＥＧビデオエンコーダ
２８…マルチプレクサ
３２…ＨＤＤ
３６…ＤＶＤドライブ
４２…デマルチプレクサ
４６…ＭＰＥＧビデオデコーダ
【図１】
2004235792.tif 000003
【図２】
2004235792.tif 000004
【図３】
2004235792.tif 000005
【図４】
2004235792.tif 000006
【図５】
2004235792.tif 000007
【図６】
2004235792.tif 000008
【図７】
2004235792.tif 000009
【図８】
2004235792.tif 000010
【図９】
2004235792.tif 000011
【図１０】
2004235792.tif 000012